(57)【要約】【課題】  長期間使用しても回収能力の低下しないフィルタ清掃機能を有する空気調和機を提供することにある。【解決手段】  エアフィルタ５に形成された凸部５８にて清掃部３００内の清掃ブラシ３４０ａに連結された回動アーム３４１ａの押圧部３４６ａを押圧して上ブラシ３４０ａをエアフィルタ５から離反して非接触状態にする。【選択図】  図５
2006153313.tif 000002
【特許請求の範囲】
【請求項１】
空気吸込口と空気吹出口とを有し、上記空気吸込口の内側にエアフィルタが配置されている室内機筐体を備え、上記室内機筐体内に、上記エアフィルタを清掃する清掃ブラシを有する清掃部と、上記エアフィルタもしくは上記清掃部のいずれか一方を移動させる清掃時駆動手段とが設けられており、上記清掃時駆動手段にて上記エアフィルタと上記清掃部とを相対的に移動させて上記エアフィルタを清掃する空気調和機において、
上記エアフィルタには所定の移動位置において上記清掃ブラシを上記エアフィルタから離反させるブラシ離反手段が設けられていることを特徴とする空気調和機。
【請求項２】
上記清掃ブラシは上記清掃部に軸支された回動アームによって支持されており、上記エアフィルタには上記ブラシ離反手段として上記回動アームを押圧して上記清掃ブラシを上記エアフィルタから離反させる凸部が設けられていることを特徴とする請求項１に記載の空気調和機。
【請求項３】
上記凸部は上記エアフィルタの表面および裏面に表裏一対となって対向的に設けられており、いずれか一方の上記凸部が上記回動アームと接触した際に反動によって上記エアフィルタが沈降するのを防止するため、上記清掃部にはいずれか他方の上記凸部を受け止める凸部受けが設けられていることを特徴とする請求項１または２に記載の空気調和機。
【発明の詳細な説明】
【技術分野】
【０００１】
本発明は汚れたフィルタを自動的に清掃するフィルタ清掃機能を備えた空気調和機に関し、さらに詳しく言えば、フィルタに付着したゴミを長期間にわたって確実に回収できる空気調和機に関する。
【背景技術】
【０００２】
空気調和機（室内ユニット）には、空気吸込口から内部にゴミが流入するのを防止するための防塵用のエアフィルタが取り付けられている。通常、このエアフィルタは室内ユニットに着脱可能に取り付けられており、その清掃は使用者が時期を見て適宜行うようにしている。
【０００３】
しかしながら、空気調和機は一般的に室内の高所に設けられているため、エアフィルタの取り外し作業は面倒であり、特に高齢者や女性にとっては困難な作業となる。そこで、本出願人はエアフィルタの清掃作業を自動化した空気調和機を提案している。
【０００４】
その一例として、特許文献１に記載の発明においては、エアフィルタを移動可能にするとともに、室内ユニット内に清掃ブラシを内蔵させた清掃部を設け、その清掃部内にエアフィルタを通過させることにより、自動的にエアフィルタの清掃が行われるようにしている。
【０００５】
これによれば、人手を煩わすことなくエアフィルタを清掃することができる。通常、このフィルタ清掃は一定の運転時間毎（例えば２００時間毎）に自動的に行われている。しかしながら、従来のフィルタには運転時や停止時にかかわらず常にブラシが接触しているため、長期間にわたってブラシがフィルタに接触した状態のまま放置されるとブラシが癖付きし、ゴミの掻き出し・回収効果が下がるおそれがあった。
【０００６】
【特許文献１】特開２００４−２８４８７号公報
【発明の開示】
【発明が解決しようとする課題】
【０００７】
そこで、本発明は上述した課題を解決するためになされたものであって、その目的は長期間使用しても回収能力の低下しないフィルタ清掃機能を有する空気調和機を提供することにある。
【課題を解決するための手段】
【０００８】
上述した目的を達成するため、本発明は以下に示すいくつかの特徴を備えている。請求項１に記載の発明は、空気吸込口と空気吹出口とを有し、上記空気吸込口の内側にエアフィルタが配置されている室内機筐体を備え、上記室内機筐体内に、上記エアフィルタを清掃する清掃ブラシを有する清掃部と、上記エアフィルタもしくは上記清掃部のいずれか一方を移動させる清掃時駆動手段とが設けられており、上記清掃時駆動手段にて上記エアフィルタと上記清掃部とを相対的に移動させて上記エアフィルタを清掃する空気調和機において、上記エアフィルタには所定の移動位置において上記清掃ブラシを上記エアフィルタから離反させるブラシ離反手段が設けられていることを特徴としている。
【０００９】
請求項２に記載の発明は、上記請求項１において、上記清掃ブラシは上記清掃部に軸支された回動アームによって支持されており、上記エアフィルタには上記ブラシ離反手段として上記回動アームを押圧して上記清掃ブラシを上記エアフィルタから離反させる凸部が設けられていることを特徴としている。
【００１０】
請求項３に記載の発明は、上記請求項１または２において、上記凸部は上記エアフィルタの表面および裏面に表裏一対となって対向的に設けられており、いずれか一方の上記凸部が上記回動アームと接触した際に反動によって上記エアフィルタが沈降するのを防止するため、上記清掃部にはいずれか他方の上記凸部を受け止める凸部受けが設けられていることを特徴としている。
【発明の効果】
【００１１】
請求項１に記載の発明によれば、清掃ブラシをフィルタから離反した状態とするためのブラシ離反手段を設けたことにより、運転停止時に清掃ブラシがフィルタから離れるため、フィルタによって清掃ブラシが癖付けされるのを防ぐことができる。
【００１２】
請求項２に記載の発明によれば、フィルタの一部に設けられた凸部を清掃ブラシを支持する回動アームを押圧することにより、複雑な機構を持たずに清掃ブラシをフィルタから離すことができる。
【００１３】
請求項３に記載の発明によれば、エアフィルタの両面に凸部を形成し、凸部を受ける凸部受けを設けたことにより、回動アームの反発力を凸部受けで受け止めることができ、清掃ブラシをフィルタから確実に浮き上がらせることができる。
【発明を実施するための最良の形態】
【００１４】
次に、本発明の実施形態について図面を参照しながら説明するが本発明はこれに限定されるものではない。図１は本発明の一実施形態に係る空気調和機（室内機ユニット）を示す断面図である。
【００１５】
この室内機ユニット１は、図示しない取付金具を介して壁面に据え付けられるベースパネル１００と、ベースパネル１００の前面から上面に掛けてを覆うようにベースパネル１００に取り付けられる上面パネル２００とを備えており、いずれも合成樹脂の成型品からなる。
【００１６】
ベースパネル１００は、壁面に沿って平行な背面パネル１１０と、背面パネル１１０の下端から前面に向けて張り出すように形成されたアンダーパネル１２０とを含み、全体が断面Ｌ字状に形成されている。
【００１７】
このベースパネル１００には、送風ファンとしてのクロスフローファン２，熱交換器ユニット３およびドレンパン４などが格納されている。ベースパネル１００の両端には熱交換器ユニット３を支持する側板（図示しない）が左右一対に設けられており、この側板の間に熱交換器ユニット３が掛け渡されている。
【００１８】
この例において、熱交換器ユニット３は３つの熱交換器ユニット３１〜３３をほぼラムダ（Λ）型に組み合わせて連結したものからなり、クロスフローファン２の上部を覆うように取り付けられている。
【００１９】
前面側熱交換器ユニット３１，３２と背面側熱交換器ユニット３３とは、その頂部が連結板３４によって連結されている。連結板３４は、吸い込まれる空気が熱交換器ユニット３をバイパスしないようにするための封止板としても機能している。ベースパネル１００の一方の側板の隣には、室内機ユニット１を駆動するための各種電源装置や電子部品などが格納された電装品箱（図示しない）が設けられている。
【００２０】
背面パネル１１０には、背面側熱交換器ユニット３３によって生成されるドレン水を受け止める露受け部１１１が形成されており、露受け部１１１の背面下部には、各種配管や電線などが収納される収納部１１２が設けられている。
【００２１】
アンダーパネル１２０には、クロスフローファン２の送風作用によって空気を室内に向けて送出するための空気吹出口１２１が形成されている。空気吹出口１２１には、空気の吹出方向を変えるための上下風向板および左右風向板のほかに、例えば急速暖房もしくは急速冷房運転時に床方向に向かって開くディフューザー（ともに図示しない）が設けられてよい。
【００２２】
ベースパネル１００には熱交換器ユニット３を覆うように上面パネル２００が取り付けられる。上面パネル２００は後端側に設けられた図示しない係止爪を介してベースパネル１００の背面パネル１１０の上端に固定され、先端がアンダーパネル１２０の先端側に向かってアーチ状に掛け渡されている。
【００２３】
この例によると、上面パネル２００にはほぼ全面にわたって空気吸込口２１０が設けられている。空気吸込口２１０はグリル桟状に形成されてよく、その開口面積は熱交換器ユニット３の上部投影面積よりも大きいことが好ましい。
【００２４】
この例において、上面パネル２００の前面には、室内ユニットの外に向けて移動するエアフィルタによって押し開かれる開閉パネル２２０が設けられている。開閉パネル２２０は上端側を中心に回転可能に軸支されており、エアフィルタ５の往方向移動時（室内ユニットの外に向けて排出される移動時）には、他端側がエアフィルタ５によって持ち上げられ、これによりエアフィルタ５が室内ユニットの外に引き出される。
【００２５】
上面パネル２００の前面にはさらに、フィルタ駆動手段としての駆動モータ（図示しない）が設けられており、上面パネル２００の一部には駆動モータに連結された駆動ギアの一部が露出している。駆動モータは図示しない制御手段によって制御されている。
【００２６】
上面パネル２００の内側（熱交換器３０側）には空気中のゴミを捕捉するためのエアフィルタ５が空気吸込口２１０に沿って配置されている。図２に示すように、エアフィルタ５はゴミを捕捉する網目状のフィルタシート５１と、フィルタシート５１を支持するフレーム５２とを備えている。また、この例ではエアフィルタ５は熱交換器３全体を覆うように２枚設けられている。
【００２７】
フィルタシート５１は、ポリプロピレンなどの合成樹脂製のシート体からなり、防かび処理や抗菌処理、さらには、ブラシによる帯電を防止するため導電防止処理などが施されていることが好ましい。この例ではフィルタシート５１はポリプロピレン製のであるが、材質やメッシュなどは仕様に応じて任意に変更可能である。
【００２８】
フレーム５２は空気吸込口２１０の開口面積のほぼ半分の面積を有する矩形状のメインフレーム５２によって構成されており、メインフレーム５２の中央には、レールフレーム５３がエアフィルタ５の移動方向に沿って平行に形成されている。
【００２９】
レールフレーム５３はメインフレーム５２のフィルタ移動方向に沿って平行に掛け渡されており、その裏面側（図３では右側面側）には室内機ユニット１側に設けられる駆動ギアが歯合されるラックギア５６が形成されている。
【００３０】
フィルタシート５１は、メインフレーム５２とレールフレーム５３とに囲まれた２箇所の開口部（フィルタ面）に張設されている。この例においてはフィルタシート５１はフレーム５２とともにインサート成型によって一体的に形成されている。なお、フレーム５１に対してフィルタシート５２を貼り付けてもよい。
【００３１】
メインフレーム５２とレールフレーム５３とに囲まれたフィルタ面には、フィルタシート５１を支持する縦レール５４と横レール５５とが設けられている。縦レール５４および横レール５５はいずれもフィルタシート５４の裏面側（図２では紙面裏側）に形成されている。
【００３２】
なお、フィルタ５の移動時にフィルタ５とモータにかかる負荷を低減するため、各レール５４，５５の高さが頂部から両側に向かうにつれて暫時減少するように形成されていることが好ましい。これにより、スムーズにエアフィルタ５を筐体内に回収することができる。
【００３３】
この例において、縦レール５４および横レール５５はエアフィルタ５の裏面側にのみ設けられているが、そうした場合表面の外観がよくない場合がある。そのため、表面側にも回収に影響しない程度の高さに桟を形成してもよい。
【００３４】
再び図２を参照して、エアフィルタ５には清掃部３００内に設けられた清掃ブラシ３２２、３４４の毛先を整えるための平坦部５７が設けられている。平坦部５７はメインフレーム５１の先端側（図２では左下側）にフィルタ面に沿って平坦な板状に形成されている。
【００３５】
平坦部５７は、移動方向の長さが後述する清掃部３００内の清掃ブラシ３２０、３４０のブラシ幅よりも若干長い長さを有するように形成されている。この平坦部５７もフレーム５１の成型時に一体成型によって形成される。
【００３６】
平坦部５７にはフィルタ５の停止時に後述するフィルタ５に接触した清掃ブラシ３４０ａをフィルタ５から離反させるためのブラシ離反手段としての凸部５８がフィルタ５の幅方向に沿って所定間隔で４カ所設けられている。
【００３７】
図２の部分拡大断面図に示すように、凸部５８は平坦部５７の表面および裏面にそれぞれ上下一対となって対向的に設けられている。各凸部５８ａ，５８ｂは、フィルタ５の移動方向（図中矢印方向）に沿って断面台形状に形成されており、フィルタ５への負荷を減らすように移動方向の角部分が面取りされている。
【００３８】
上面パネル２００と開閉パネル２２０との間には、エアフィルタ５に付着したゴミを除去する清掃部３００が設けられている。この例において、室内機ユニット１には２枚のエアフィルタ５が設置されており、これに伴い清掃部３００も２箇所に設置されているが、各清掃部３００はいずれも同じ構成であるため、いずれか一方のみについて説明を行う。
【００３９】
図３および図４を参照して、清掃部３００は上面パネル２００側に載置されるボトムカバー３１０と、同ボトムカバー３１０に被せられるトップカバー３３０とからなるダストボックスを備えている。ダストボックスを合成樹脂製とする場合には、その樹脂材に防かび剤や抗菌剤などを含有させることが好ましい。
【００４０】
ボトムカバー３１０とトップカバー３３０は、図３に示すように、一端側がヒンジ部３０１を介して連結され他端側が開閉可能である。なお、トップカバー３３０の両端には、ボトムカバー３１０に対するスライド式のロックレバー３０２が設けられている。
【００４１】
ボトムカバー３１０は内部にゴミを収納可能な収納スペース３１１を有する細長いペン皿状に形成されている。ボトムカバー３１０は少なくともエアフィルタ５の幅よりも長い長さを備えている。ボトムカバー３１０の内部には、エアフィルタ５の裏面側（熱交換器側）に接触する一対の第１清掃部３２０ａ，３２０ｂが設けられている。
【００４２】
収納スペース３１１にはフィルタ５に形成された凸部５８の下側の凸部５８ｂを受ける凸部受け面３１２が所定の間隔で４カ所設けられている。凸部受け面３１２は図４に示すように、ボトムカバー３２１０の底部から解放面に向けて一体的に突設されており、それらがフィルタ５を移動させた際に凸部５８の移動軌跡上に設置されている。
【００４３】
この例において、凸部受け面３１２はフィルタ５の凸部５８の数に応じて４カ所設けられているが、凸部受け面３１２は凸部５８の移動軌跡上に設けられていれば、凸部５８の数に応じて任意に設けられてよい。
【００４４】
ボトムカバー３１０の内部（底部）にはエアフィルタ５の裏面側（熱交換器側）に接触する一対の下ブラシ３２０ａ、３２０ｂが設けられている。下ブラシ３２０ａ、３２０ｂはボトムカバー３１０の底部に一体的に形成されたブラシ台３２１ａ，３２１ｂに設けられており、下ブラシ３２０ａ、３２０ｂの間に収納スペース３１１の一部が形成されている。
【００４５】
ブラシ台３２１ａ，３２１ｂは、ボトムカバー３１０の底部の一部をトップカバー３２０に向けて張り出した状態で一体成型されており、このブラシ台３２１ａ，３２１ｂの形成に伴って、ボトムカバー３１０の底面（図３では下面）が凹まされている。
【００４６】
この例ではブラシ台３２１ａ，３２１ｂは一体成型であるが、別部材を取り付けてもよい。また、その間に圧縮バネなどの押圧手段を設けて下ブラシ３２０ａ、３２０ｂをエアフィルタ５に向けて強制的に押し付けるようにしてもよい。
【００４７】
下ブラシ３２０ａ、３２０ｂは所定の植設密度でブラシ線が植設され、ブラシ線がエアフィルタ５に対して所定角度をもって斜めに接触する傾斜ブラシからなる。下ブラシ３２０ａ、３２０ｂは、収納スペース３１１を挟んで互いに向き合う方向に傾斜するように設けられている。
【００４８】
すなわち、図４に示すように、一方の下ブラシ３２０ａは左斜め上方向に傾斜するように設置されており、他方の下ブラシ３２０ｂは右斜め上方向に傾斜するように設置されている。
【００４９】
図３に示すように、下ブラシ３２０ａ，３２０ｂは、それらの間にあるエアフィルタ５の縦５４フレームを逃がすための逃がし溝３１１によって２分割（計４分割）されていることが好ましい。これによれば、縦フレーム５４付近のフィルタシート５１を確実に清掃できる。なお、ボトムカバー３２０の長手方向に沿って１枚であってもよい。
【００５０】
次に、トップカバー３３０は、ボトムカバー３１０の開口部周縁を塞ぐように取り付けられ、少なくともエアフィルタ５の幅よりも長い箱体に形成されており、内部に中空な収納スペース３３１を備えている。
【００５１】
トップカバー３３０の収納スペース３３１内にはエアフィルタ５の表面（空気吸込口２１０側）に付着したゴミを除去するため、エアフィルタ５に接触する一対の上ブラシ３４０ａ，３４０ｂが設けられている。図３に示すように、上ブラシ３４０ａ，３４０ｂはそれぞれエアフィルタ５を挟んで下ブラシ３２０ａ，３２０ｂと対向する位置に設けられている。
【００５２】
上ブラシ３４０ａ，３４０ｂはそれぞれ一端側がトップカバー３３０に回転可能に軸支される回転軸３４２ａ、３４２ｂを有するアーム部（回動アーム）３４１ａ，３４１ｂと、同アーム部３４１ａ，３４１ｂの自由端側に取り付けられたブラシ台３４３ａ，３４３ｂとを備えている。
【００５３】
図４に示すように、一方のアーム部３４１ａは、トップカバー３３０の上面から開放面（下面）に向けてほぼＬ字状に形成され、その一端側には回転軸３４２ａを備えている。このアーム部３４１ａの他端側にブラシ台３４３ａが一体的に形成されている。
【００５４】
アーム部３４１ａのほぼ中央の折曲部には、フィルタ５の凸部５８の下側の凸部５８ａに接触して、上ブラシ３４０ａをフィルタ５から離反する方向（図４では上方向）に持ち上げるための押圧部３４６ａが形成されている。
【００５５】
押圧部３４６ａは図４に示すように、清掃部３００を閉じた際に、ボトムカバー３１０側の凸部受け面３１２に対向する位置に形成されており、凸部受け面３１２と同じくフィルタ５の凸部５８の移動軌跡上に４カ所設けられている。この押圧部３４６ａも凸部５８の数に応じて任意に設けられてよい。
【００５６】
他方のアーム部３４１ｂはトップカバー３３０の上面から開放面（下面）に向けてほぼＬ字状に形成され、その一端側には回転軸３４２ｂを備えている。このアーム部３４１ｂの他端側にブラシ台３４３ｂが一体的に形成されている。
【００５７】
図４に示すように、各アーム部３４１ａ，３４１ｂはトップカバー３３０の上面にそれぞれが互いに交差するように軸支されている。すなわち、アーム部３４１ａの回転軸３４２ａは上ブラシ３４０ｂのブラシ台３４３ｂの上部側に設置されており、アーム部３４１ｂの回転軸３４２ｂは下ブラシ３４０ａのブラシ台３４３ａの上部側に設置されている。
【００５８】
一方のブラシ台３４３ａは、下面側が平坦なブラシ面とされており、そのブラシ面にブラシ線が設けられている。他方のブラシ台３４３ｂも同様に下面側が平坦なブラシ面とされており、そのブラシ面に沿ってブラシ線が設けられている。
【００５９】
上ブラシ３４０ａ，３４０ｂはともに所定の植設密度でブラシ線が植設され、ブラシ線がエアフィルタ５に対して所定角度をもって斜めに接触する傾斜ブラシからなる。上ブラシ３４０ａ，３４０ｂは収納スペース３３１を挟んで互いに向き合う方向に傾斜するように設置されている。すなわち、一方の上ブラシ３４０ａは左斜め下方向を向くように配置されており、他方の上ブラシ３４０ｂは右斜め下方向を向くように配置されている。
【００６０】
図４を参照して、トップカバー３３０と各ブラシ台３４３ａ，３４３ｂとの間には常にブラシ台３４３ａ，３４３ｂエアフィルタ５方向（図３では下方向）に向けて押圧する押圧手段としての圧縮バネ３４５ａ，３４５ｂが設けられている。
【００６１】
圧縮バネ３４５ａ，３４５ｂはそれぞれトップカバー３３０の一部に設けられた円筒状のバネホルダー（図示しない）によって収納されている。圧縮バネ３４５ａ，３４５ｂはブラシ台３４５ａ，３４５ｂの裏面側（反傾斜ブラシ側）の一部に接触することにより、ブラシ台３４３ａ，３４３ｂをエアフィルタ５方向に押圧する。
【００６２】
このトップカバー３３０とボトムカバー３１０とからなるダストボックスの両端部は、清掃部３００内にエアフィルタ５を引き込むためのフィルタ出入口３５０ａ，３５０ｂとなっている。
【００６３】
これにより、一方のフィルタ出入口３５０ａの下ブラシ３２０ａと上ブラシ３２０ｂとが対となって清掃ユニット３００Ａとして用いられ、他方のフィルタ出入口３５０ｂの下ブラシ３２０ｂと上ブラシ３４０ｂとが対となって清掃ユニット３００Ｂとして用いられる。
【００６４】
この例において、下ブラシ３２０ａ，３２０ｂは固定式であるが、上ブラシ３４０ａ，３４０ｂに採用した可変レバー機構を同様に採用してもよい。これによれば、よりゴミの捕捉力がアップする。このとき、本発明のフィルタ接触手段を下ブラシ３２０ａ，３２０ｂ側に設けてもよい。
【００６５】
また、この例では各ブラシ３２０，３４０は多数の線状のブラシを束ねたものから構成されているが、これ以外にフィン状の板ブラシを進行方向に沿って並べたものを用いてもよい。
【００６６】
次に、図１および図５（ａ），（ｂ）を参照して、清掃部３００の動作の一例について説明する。エアフィルタ５は常にその一部分が清掃部３００内に置かれるが、図１はエアフィルタ５が図１のように室内機ユニット１内に引き込まれ上面パネル２００の空気吸込口を覆っているときの状態を示している。
【００６７】
エアフィルタ５が図１の状態にあるとき、例えばリモコンからフィルタ清掃指示信号が出されると図示しないモータが駆動され、エアフィルタ５がの室内機内部から外部への往方向（排出方向）に移動を開始する。このとき、フィルタ出入口３５０ａが「入口側」となり、他方のフィルタ出入口３５０ｂは「出口側」となる。
【００６８】
この往方向移動時、エアフィルタ５は入口３５０ａ側の清掃ユニット３００Ａに含まれる下ブラシ３２２ａと上ブラシ３４４ａとに対して、その傾斜方向に対して逆らうことなく、いわゆる順目方向に移動する。
【００６９】
可動側の上ブラシ３４４ａは、圧縮バネ３４５ａによりエアフィルタ５に密着するように付勢されているが、エアフィルタ５の移動が順目方向であることと、上ブラシ３４４ａを支持しているアーム部３４１ａの回転軸３４２ａの軸位置との関係から、エアフィルタ５に対してより強く密着する。これにより、エアフィルタ５は下ブラシ３２２ａと上ブラシ３４４ａとに強くこすられ、エアフィルタ５に付着しているゴミのほとんどが掻き取られる。
【００７０】
他方、出口３５０ｂ側の清掃ユニット３００Ｂに含まれる下ブラシ３２２ｂと上ブラシ３４４ｂは、エアフィルタ５の移動方向に対して逆向きのいわゆる逆目となるため、可動側の上ブラシ３４４ｂは、これを支持するアーム部３４１ｂの回転軸３４２ｂの軸位置との関係から、エアフィルタ５から浮き上がろうとするが、その浮き上がりが圧縮バネ３４５ｂにて阻止される。
【００７１】
これにより、入口３５０ａ側の清掃ユニット３００Ａで取り残されたゴミが出口３５０ｂ側の清掃ユニット３００Ｂで掻き落とされるとともに、清掃部３００のダストボックス内に溜められたゴミがエアフィルタ５によって室内に持ち出されない。
【００７２】
また、エアフィルタ５のフレーム５はフィルタ面から見て裏側（熱交換器３側）に設けられていることにより、上面側（空気吸込口２１０側）には邪魔するものがないため、エアフィルタ５の上面に溜まったゴミを上ブラシ３４０ａによって確実に捕捉することができる。
【００７３】
エアフィルタ５の往方向の移動が終了すると、図示しないモータが逆回転し、今度はエアフィルタ５が図５（ａ）の右向き矢印に示す復方向（収納方向）に移動を開始する。このとき、フィルタ出入口３５０ｂが「入口側」となり、フィルタ出入口３５０ａは「出口側」となる。
【００７４】
このエアフィルタ５の復方向移動時には、入口３５０ｂ側の清掃ユニット３００Ｂが上記した往方向移動時の清掃ユニット３００Ａと同様に動作し、出口３５０ａ側の清掃ユニット３００Ａが上記した往方向移動時の清掃ユニット３００Ｂと同様に動作する。したがって、清掃部３００のダストボックス内に溜められたゴミがエアフィルタ５によって室内機ユニット１内に持ち出されることもない。
【００７５】
エアフィルタ５の清掃を終えると、制御部は駆動モータに指令を出し、エアフィルタ５の先端を清掃部３５０に突き当たるまで押し戻す。このとき、清掃ユニット３００Ａの上ブラシ３４０ａと下ブラシ３２０ａは逆目であるため、エアフィルタ５の接触により移動方向に向かってブラシが反った状態となる。
【００７６】
そこで、エアフィルタ５が室内機ユニット１内に完全に引き戻されると同時に、フィルタ５に設けられた下凸部５８ｂがボトムカバー３１０の凸部受け面３１２に乗り上げ、さらに上凸部５８ａが回動アーム３４１ａの押圧部３４６ａを押し上げる。
【００７７】
これにより、図５（ｂ）に示すように、回動アーム３４１が強制的に持ち上げられ、これに伴い上ブラシ３４０ａがフィルタ５から離反する方向（図５（ｂ）では上方向）に持ち上げられ、フィルタ５に対して無負荷状態となる。なお、本発明において離反とはブラシ３４０ａがフィルタ５によって受けている変形が軽減されている状態をいう。
【００７８】
これによれば、清掃ユニット３００Ａの上ブラシ３４０ａがエアフィルタ５から離されるため、上ブラシ３４０ａの傾斜を保つことができる。また、下ブラシ３２０ａの毛先もエアフィルタ５に対して無負荷となるため、正常な傾斜位置に戻される。
【００７９】
このとき、他方の清掃ユニット３００Ｂの上ブラシ３４０ｂと下ブラシ３２０ｂとは準目方向であるため毛先が反ることはないが、各ブラシ間に平坦部５７が間に挟まれることにより、フィルタ面による摩擦の影響を受けずに単に滑るだけであるため、毛先が逆に反り返ることはなく、常に毛先が正常な傾斜位置に保たれる。
【００８０】
清掃部３００内がゴミで一杯になった場合には、上面パネル２００を開けて清掃部３００を取り出して開き、中に溜まったゴミを掃除機などで吸引して回収すればよい。
【００８１】
なお、上ブラシ３４４ａ，３４４ｂを下ブラシ３２２ａ，３２２ｂと同じく固定ブラシとしてもよく、このような態様も本発明に含まれるが、上記の例のように上ブラシ３４４ａ，３４４ｂを圧縮バネ３４５ａ，３４５ｂの付勢力に抗して可動とすることにより、逆目となる側の上ブラシとエアフィルタ５との摩擦抵抗が低減されるため、モータの負荷を軽くすることができる。また、下ブラシ側を可動とし上ブラシ側を固定、下ブラシおよび上ブラシをともに可動としてもよい。
【００８２】
また、上記実施形態においてはブラシ離反手段は一方の上ブラシ３４０ａのみに設けられているが、他方の上ブラシ３４０ｂ側に設けてもよいし、両方の上ブラシ３４０ａ，３４０ｂにそれぞれ設けてもよい。また、ブラシ離反手段は凸部５８と回動アーム３４１ａとを用いてブラシ３４０ａを持ち上げているが、モータなどの駆動手段を専用に用いてもよい。
【００８３】
さらに、上記した例では、図１に示すように清掃部３００に対してエアフィルタ５を移動させるようにしているが、エアフィルタ５の位置を固定とし、清掃部３００側をそのエアフィルタ５に沿って移動させるようにしてもよい。
【００８４】
また、本発明において清掃部３００は清掃ブラシとゴミ保管部とが一体となってユニット化されているが、例えば本出願人による特開２００２−３４０３９５号公報に記載された清掃ブラシとゴミ保管部とを別部材とした空気調和機においては、清掃ブラシをフィルタの外側に移動させるなどして、本発明のブラシ離反手段を適用してもよい。
【産業上の利用可能性】
【００８５】
以上、室外機と室内機とが分離されているスプリット型でシーリングウォール型の空気調和機の室内機ユニットを例にして本発明を説明したが、本発明はこれに限定されるものではない。本発明は、例えば床起き式空気調和機，一つの筐体内に室内機と室外機とを収納した一体型空気調和機，また、熱源で言えばガス燃焼式空気調和機，温水循環式空気調和機など、エアフィルタを有する空気調和機に広く利用することができる。
【図面の簡単な説明】
【００８６】
【図１】本発明の一実施形態に係る空気調和機（室内機ユニット）の断面図。
【図２】上記実施形態のエアフィルタの斜視図
【図３】清掃部を開いた状態を示す斜視図。
【図４】清掃部の内部構造を模式的に示した断面図。
【図５】フィルタ清掃時の清掃部の内部における動作を説明する説明図。
【符号の説明】
【００８７】
１  空気調和機（室内機ユニット）
２  クロスフローファン
３  熱交換器
４  ドレンパン
５  エアフィルタ
５１  フィルタシート
５８  凸部
１００  ベースパネル
２００  上面パネル
３００  清掃部
３１０  ボトムカバー
３１２  凸部受け面
３４０ａ，３４０ｂ  上ブラシ
３４６ａ  押圧部
３２０ａ，３２０ｂ  下ブラシ
３３０  トップカバー
３４０ａ，３４０ｂ  上ブラシ
【図１】
2006153313.tif 000003
【図２】
2006153313.tif 000004
【図３】
2006153313.tif 000005
【図４】
2006153313.tif 000006
【図５】
2006153313.tif 000007